(57)【特許請求の範囲】
【請求項１】
内部に配線材または配管材を収容して保護する保護管と、閉じ具とからなる保護管装置であって、
前記保護管は、外周面側にリング状に突出する外側凸部と内周面側にリング状に突出する内側凸部とが交互に複数並んだ管からなるとともに、ヒンジ部を介して連結されてなる、または、独立してなる半管状の二つの分割体により構成され、
前記保護管には、前記二つの分割体が合わさる部分であって、隣合う前記外側凸部間の、外周面側にて窪む外側凹部に、前記外側凸部から突出しないようにして、取付部が備えられており、
前記閉じ具は、前記二つの分割体が互いに広がったり、または、離れたりするのを防止するために、前記外側凹部に嵌まってその外側凹部内で前記取付部を挟持するようにして、前記分割体の長手方向にずれることなく、前記取付部に取り付けられることを特徴とする保護管装置。
【請求項２】
前記閉じ具は、圧縮されることで、前記取付部を挟持するようにして、その取付部に取り付けられることを特徴とする請求項１に記載の保護管装置。
【請求項３】
前記取付部は、係止凹部を備え、前記閉じ具は、前記係止凹部に係り止められる被係止部を備えることを特徴とする請求項２に記載の保護管装置。
【請求項４】
前記閉じ具は、前記外側凸部よりも突出することなく、前記取付部に取り付けられることを特徴とする請求項１ないし３のいずれか１項に記載の保護管装置。
【発明の詳細な説明】
【０００１】
【発明の属する技術分野】
この発明は、内部に配線材または配管材を収容して保護するための、保護管装置に関するものである。
【０００２】
【従来の技術】
従来、例えば、鉄道の線路に沿って、埋設されるトラフ内には、配線材として、踏切用ケーブル、信号用ケーブル、線路沿いの電灯用ケーブル、通信用ケーブル等の種々のケーブルが敷設されていた。そして、新設駅の建築、既設駅の改装、路線経路の変更等に関連して、トラフの交換、トラフの位置変更等の工事をする場合、ケーブルをトラフから取り出して、仮設経路に配置し、相当期間、工事の邪魔にならないよう、また、工事により破損しないよう保護しておく必要があった。また、このケーブルの保護は、ケーブルが接続された活線状態のまま行う必要もあった。
【０００３】
ところが、かかる用途に適する、ケーブルの保護管がなかったため、例えば、図１３に示すように、ＶＥ管をそれぞれが半円筒となるように２分割しておき、その２分割された両分割体１１ａ、１１ａを、ケーブル１２を覆うように合わせ、さらに、両分割体１１ａ、１１ａが互いに広がったり離れたりするのを防止するようにそれら両分割体１１ａ、１１ａをバインド線１３で結束することで、そのケーブル１２を保護していた。
【０００４】
【発明が解決しようとする課題】
ところで、従来の分割体１１ａ、１１ａからなる保護管１１にあっては、ケーブル１２を保護管１１内に収容した後、両分割体１１ａ、１１ａが互いに広がったり離れたりしないようにそれら両分割体１１ａ、１１ａをバインド線１３で結束する際に、保護管１１を持ち上げて、その下にバインド１３線をくぐらせなければなまらず、作業性が悪かった。また、結束後において、バインド線１３がずれたり、両分割体１１ａ、１１ａが長手方向等に互いにずれる虞があった。
【０００５】
この発明は、上記した従来の欠点を解決するためになされたものであり、その目的とするところは、両分割体が互いに広がったり、または、離れたりするのを、簡単に防止することができる保護管装置を提供することにある。
【０００６】
また、他の目的は、両分割体が長手方向等に互いにずれる虞のない保護管装置を提供することにある。
【０００７】
【課題を解決するための手段】
この発明に係る保護管装置は、前記目的を達成するために、次の構成からなる。すなわち、
請求項１に記載の発明に係る保護管装置は、内部に配線材または配管材を収容して保護する保護管と、閉じ具とからなる。前記保護管は、外周面側にリング状に突出する外側凸部と内周面側にリング状に突出する内側凸部とが交互に複数並んだ管からなる。そして、前記保護管は、ヒンジ部を介して連結されてなる、または、独立してなる半管状の二つの分割体により構成される。さらに、前記保護管には、前記二つの分割体が合わさる部分であって、隣合う前記外側凸部間の、外周面側にて窪む外側凹部に、前記外側凸部から突出しないようにして、取付部が備えられる。そして、前記閉じ具は、前記二つの分割体が互いに広がったり、または、離れたりするのを防止するために、前記外側凹部に嵌まってその外側凹部内で前記取付部を挟持するようにして、前記分割体の長手方向にずれることなく、前記取付部に取り付けられる。
これにより、この保護管装置は、閉じ具により、二つの分割体が互いに広がったり、離れたりするのが防止される。さらに、二つの分割体がヒンジ部を介して連結されている場合には、これら分割体が、長手方向等に互いにずれるようなことはない。また、閉じ具は、外側凹部に嵌まるようにして、取り付けられて、この閉じ具が分割体の長手方向にずれることがない。さらに、二つの分割体が独立している場合には、これら分割体が、閉じ具を介すことで、長手方向等に互いにずれるようなことはない。また、閉じ具を取り付けるための取付部が複数設けられる場合には、二つの分割体が互いに広がったり、離れたりするのを、確実に防止することができ、特に、この保護管を、配線材または配管材の配線・配管経路に合わせて屈曲させる際にも、二つの分割体が互いに広がったり、離れたりするのを、確実に防止することができる。
【０００８】
また、請求項２に記載の発明に係る保護管装置のように、前記閉じ具は、圧縮されることで、前記取付部を挟持するようにして、その取付部に取り付けられてもよい。こうして、閉じ具が、圧縮されて取付部を挟持することで、二つの分割体が互いに広がったり、離れたりするのが防止される。
【０００９】
また、請求項３に記載の発明に係る保護管装置のように、前記取付部は、係止凹部を備え、前記閉じ具は、前記係止凹部に係り止められる被係止部を備えてもよい。こうして、閉じ具の被係止部が、取付部の係止凹部に係り止められるので、閉じ具は、取付部から容易に外れるようなことはない。
また、請求項４に記載の発明に係る保護管装置のように、前記閉じ具は、前記外側凸部よりも突出することなく、前記取付部に取り付けられてもよい。これにより、閉じ具が、外部のものと接触しにくくなるので、この閉じ具は、取付部から外れにくい。
【００１０】
【００１１】
【００１２】
【００１３】
【００１４】
【発明の実施の形態】
以下、この発明に係る保護管装置の実施の形態を図面に基づいて説明する。
【００１５】
図１ないし図９において、保護管装置Ｓは、保護管１と閉じ具２とからなる。保護管１は、その内部に、配線材として、例えば、送電用とか通信用等のケーブル３を収容して保護するものである。この保護管１は、例えば、ポリエチレン樹脂製の管からなる可撓性を備えたものであり、その外周面側にリング状に突出する外側凸部１ａと、また、その内周面側にリング状に突出する内側凸部１ｂとが、交互に平行的に複数並んでいる。ここで、隣合う外側凸部１ａ、１ａ間は、外周面側にて窪む外側凹部１ｃとなっている。そして、外側凸部１ａの頂部１ｄおよび内側凸部１ｂの頂部１ｅは、ほぼフラット状に形成されている。また、この管の径方向の一方側に、管の長手方向の一方端から他方端まで、所要の幅Ｗ１を取り除くようにして、連続的に切断された切割り部１ｆが形成されている。さらに、径方向の他方側に、長手方向の一方端から他方端まで、各外側凸部１ａ、１ａの少なくとも一部、図示実施の形態においては、ほぼフラット状に形成された外側凸部１ａ、１ａの頂部１ｄ、１ｄを残して、前記幅Ｗ１と同一寸法の幅Ｗ２を取り除くようにして、前記内外周面を貫通するように切り欠かれた切欠き孔１ｇ、１ｇが形成されている。
【００１６】
こうして、各外側凸部１ａ、１ａの頂部１ｄ、１ｄが、ヒンジ部１ｈ、１ｈとなって、前記切割り部１ｆが、開閉自在となっている。また、保護管１は、左右に位置する、半管状の二つの分割体（以下、第１の分割体１ｉ、第２の分割体１ｊと呼ぶ。）により構成されることとなり、これら第１および第２の分割体１ｉ、１ｊは、互いにヒンジ部１ｈ、１ｈを介して連結されている。さらに、この保護管１は、既述の通り、ポリエチレン樹脂からなるので、第１および第２の分割体１ｉ、１ｊを互いに広げるようにして、切割り部１ｆを開くと、ヒンジ部１ｈ、１ｈは、塑性変形することとなる。
【００１７】
また、第１および第２の分割体１ｉ、１ｊが合わさる部分には、取付部１ｋが設けられており、この取付部１ｋには、第１および第２の分割体１ｉ、１ｊが互いに広がるのを防止するための、後述の閉じ具２が取り付けられる。ここで、取付部１ｋは、第１の分割体１ｉ側に形成された第１の取付片１ｍと、第２の分割体１ｊ側に、前記第１の取付片１ｍと対向するように形成された第２の取付片１ｎとからなる。これら第１および第２の取付片１ｍ、１ｎは、それぞれ、外側凹部１ｃに、その外側凹部１ｃの底面１ｐから突出するように設けられている。さらに、第１の取付片１ｍには、基端部に、後述の閉じ具２が係り止められる係止凹部１ｑが形成されている（図４参照）。そして、これら第１および第２の取付片１ｍ、１ｎからなる取付部１ｋは、分割体１ｉ、１ｊの長手方向に所定間隔をおいて複数設けられている。
【００１８】
一方、閉じ具２は、例えば、圧延鋼板等の板材を折り曲げ加工したものであり、矩形形状の上部片２ａと、その上部片２ａの左右の端から折れ曲がって、互いに広がるように下方に向かって延びる第１の側部片２ｂおよび第２の側部片２ｃと、第１の側部片２ｂの下端から折れ曲がって、内側に向かって延びる被係止部２ｄと、第２の側部片２ｃの下端から切り曲げされて、内側に向かって延びて、先端の尖った三角形形状をした突刺部２ｅと、第２の側部片２ｃの下端から、外側に折り返すように曲がって延びる下部片２ｆとから構成されている（図５参照）。さらに、第１および第２の側部片２ｂ、２ｃを、上部片２ａの左右の端で折り曲げ易いように、上部片２ａの四隅から側部片２ｂ、２ｃにかけて、それぞれ切欠き２ｇ、２ｇが形成されている。そして、この閉じ具２は、切割り部１ｆが閉じた保護管１の取付部１ｋにかぶるようにして取り付けられる。このとき、閉じ具２の第１の側部片２ｂと第２の側部片２ｃとを互いに近づくように圧縮して、これら第１および第２の側部片２ｂ、２ｃを、上部片２ａの左右の端から折り曲げる。こうして、第１および第２の側部片２ｂ、２ｃが、取付部１ｋの第１および第２の取付片１ｍ、１ｎを挟持し、被係止部２ｄが、第１の取付片１ｍの係止凹部１ｑに係り止められ、さらに、突刺部２ｅが、第２の取付片１ｎの基部に突き刺さる（図７参照）。逆に、この閉じ具２を、取付部１ｋから取り外す場合には、下部片２ｆの下方側に、マイナスドライバー等の取外し工具を進入させて、その工具で下部片２ｆを押し上げるようにしてこじれば、閉じ具２を取付部１ｋから取り外すことができる。
【００１９】
次に、保護管１の製造方法を説明する。始めに、外側凸部１ａ、１ａ、内側凸部１ｂ、１ｂおよび取付部１ｋ、１ｋを備えた管を、例えば、コルゲート成形法により形成する。そして、このコルゲート成形法により形成されたコルゲート管を、前記所要の幅Ｗ１、Ｗ２とほぼ同一の刃厚を持つ、例えば、円鋸盤やメタルソー等により、切割り部１ｆおよび切欠き孔１ｇ、１ｇを形成するように、そして、取付部１ｋ、１ｋを分断するように切断する。つまり、切割り部１ｆと第１および第２の取付片１ｍ、１ｎを形成すべく、径方向の一方側を、所要の幅Ｗ１を取り除くように切断するとともに、切欠き孔１ｇ、１ｇを形成すべく、径方向の他方側を、ヒンジ部１ｈ、１ｈを残して、所要の幅Ｗ２を取り除くように切断する。こうして、コルゲート管を切断することで、切割り部１ｆ、切欠き孔１ｇ、１ｇおよびヒンジ部１ｈ、１ｈを備えた保護管が得られる。
【００２０】
次に、以上の構成からなる保護管およびその保護管を使用した保護管装置の作用効果について説明する。この保護管１は、外側凸部１ａと内側凸部１ｂとが交互に複数並んで可撓性を備えた管からなるので、この保護管１を、その内部に収容されるケーブル３の所要の配線経路に応じて自在に屈曲させることができる。また、この保護管１は、長手方向の一方端から他方端まで連続的に切断された切割り部１ｆが、ヒンジ部１ｈ、１ｈを介して開閉自在となっているので、図６に示すように、その切割り部１ｆを開くことで、ケーブル３を、その開いた切割り部１ｆから保護管１内に入れて、容易に収容・保護することができる。このとき、切割り部１ｆと切欠き孔１ｇ、１ｇとで分割された第１および第２の分割体１ｉ、１ｊがヒンジ部１ｈ、１ｈでつながっており、これら分割体１ｉ、１ｊが分離している場合に比して、取り扱いが容易であり、また、これら分割体１ｉ、１ｊが、それらの長手方向等に互いにずれることもない。そして、外側凸部１ａの少なくとも一部がヒンジ部１ｈとなっているので、内側凸部１ｂがヒンジ部となっている場合に比して、切割り部１ｆを開くのが容易である。さらに、ヒンジ部１ｈが、外側凸部１ａのほぼフラット状に形成された頂部１ｄのみからなるので、切割り部１ｆを開くのが一層容易である。また、切割り部１ｆを開いたとき、ヒンジ部１ｈ、１ｈが塑性変形して、その開いた状態が維持されるので、保護管１の内部にケーブル３を入れる作業が容易となる。また、外側凸部１ａ、つまり管の一部がそのままヒンジ部１ｈ、１ｈを形成しているので、これらヒンジ部１ｈ、１ｈが、保護管１を屈曲させる際の妨げになるようなことはない。また、内外周面を貫通する切欠き孔１ｇ、１ｇは、内部に侵入した水を排出する水抜き孔として、さらには、図９に示すように、この保護管１を各種構造物に固定する際に、バインド線等の固定具４を掛ける取付孔として利用することができる。
【００２１】
また、第１および第２の分割体１ｉ、１ｊが合わさる部分には、第１および第２の取付片１ｍ、１ｎからなる取付部１ｋが備えられており、この取付部１ｋに閉じ具２を取り付けることで、二つの分割体１ｉ、１ｊが互いに広がるのが防止される。つまり、閉じ具２は、圧縮されることで、第１および第２の取付片１ｍ、１ｎを挟持するようにして、取り付けられる。こうして、閉じ具２が、圧縮されて第１および第２の取付片１ｍ、１ｎを挟持することで、二つの分割体１ｉ、１ｊが互いに広がるのが防止される。さらに、取付部１ｋは、第１および第２の分割体１ｉ、１ｊの長手方向に所定間隔をおいて、複数設けられており、二つの分割体１ｉ、１ｊが互いに広がるのを、確実に防止することができる。特に、この保護管１を、ケーブル３の配線経路に合わせて屈曲させる場合にも、二つの分割体１ｉ、１ｊが互いに広がるのを、確実に防止することができる。
【００２２】
また、このとき、閉じ具２は、外側凸部１ａ、１ａよりも突出することなく、取付部１ｋに取り付けられており（図７参照）、閉じ具２が、外側凸部１ａ、１ａに守られて外部のものと接触しにくくなるので、この閉じ具２は、取付部１ｋから、外れにくくなっている。さらに、閉じ具２の被係止部２ｄが、第１の取付片１ｍの係止凹部１ｑに係り止められるので、閉じ具２は、取付部１ｋから容易に外れるようなことはない。さらには、閉じ具２の突刺部２ｅが、第２の取付片１ｎに突き刺さるので、閉じ具２は、一層、取付部１ｋから容易に外れるようなことはない。また、閉じ具２は、外側凹部１ｃに嵌まるようにして、取付部１ｋに取り付けられるので、この閉じ具２が分割体１ｉ、１ｊの長手方向等にずれることを一層確実に防止している。
【００２３】
一方、この保護管１の製造にあたっては、コルゲート成形法により形成した管を、切断するだけでよく、この切断により、切割り部１ｆ、切欠き孔１ｇ、１ｇ、およびヒンジ部１ｈ、１ｈが形成される。
【００２４】
なお、本発明は、上述した実施の形態に限定されるわけではなく、その他種々の変更が可能である。例えば、保護管１は、ケーブル３を収容して保護するものでなくとも、エアコンの冷媒管等の配管材を収容して保護するものであってもよく、その用途は実施の形態に示されるものに限定されない。また、保護管１の、外側凸部１ａの頂部１ｄおよび内側凸部１ｂの頂部１ｅは、ほぼフラット状に形成されていなくとも、例えば、円弧状に形成されていてもよい。また、保護管１の切割り部１ｆの形成にあたって、コルゲート管を所要の幅Ｗ１を取り除くように切断しなくとも、幅Ｗ１を設けないようにコルゲート管を切断してもよい。
【００２５】
また、第１および第２の分割体１ｉ、１ｊは、ヒンジ部１ｈ、１ｈを介して連結されていなくとも、図１０に示すように、独立していてもよい。つまり、二つの分割体１ｉ、１ｊは、ヒンジ部１ｈ、１ｈが切り離されるようにして、分離していてもよい。この際、取付部１ｋは、左右に分かれた第１および第２の分割体１ｉ、１ｊが合わさる、上下の２箇所に形成され、それぞれの取付部１ｋ、１ｋに、閉じ具２、２が取り付けられる。こうして、第１および第２の分割体１ｉ、１ｊは、互いに広がったり離れたりするのが防止される。このとき、閉じ具２、２は、外側凹部１ｃに嵌まるようにして、取り付けられるので、第１および第２の分割体１ｉ、１ｊは、閉じ具２、２を介すことで、長手方向等に互いにずれるようなことはない。
【００２６】
また、閉じ具２は、外側凸部１ａよりも突出することなく、取付部１ｋに取り付けられなくとも、図１１に示すように、下側が外側凹部１ｃに嵌まり、上側が外側凸部１ａよりも突出してもよく、また、図１２に示すように、全体が外側凸部１ａよりも突出してもよい。
【００２７】
また、取付部１ｋの係止凹部１ｑを、第１の取付片１ｍにのみ形成しなくとも、図１０ないし図１２に示すように、第１の取付片１ｍの係止凹部１ｑと同様に、第２の取付片１ｎにも他の係止凹部Ｑ１を形成してもよい。この場合、閉じ具２には、第１の側部片２ｂ側の被係止部２ｄと同様に、第２の側部片２ｃ側に、突刺部２ｅの代わりに他の被係止部Ｑ２を形成する。こうすることで、閉じ具２の他の被係止部Ｑ２は、取付部１ｋの他の係止凹部Ｑ１に係り止められる。
【００２８】
【発明の効果】
以上、詳述したところから明らかなように、この発明に係る保護管装置によれば、次の効果がある。
【００２９】
請求項１に記載された保護管装置によれば、閉じ具を取付部に取り付けるだけで、両分割体が互いに広がったり、離れたりするのを、簡単に防止することができる。さらに、両分割体がヒンジ部を介して連結されている場合には、両分割体が長手方向等に互いにずれる虞がない。また、取付部を外側凹部に設けることで、閉じ具が分割体の長手方向にずれるのを防ぐことができる。さらに、両分割体が独立している場合には、閉じ具を介すことで、これら分割体が長手方向等に互いにずれるのを防ぐことができる。また、取付部を複数設けた場合には、両分割体が互いに広がったり、離れたりするのを、確実に防止することができる。
【００３０】
また、請求項２に記載された保護管装置によれば、閉じ具を圧縮して取付部を挟持することで、両分割体が互いに広がったり、離れたりするのを防止することができる。
【００３１】
また、請求項３に記載された保護管装置によれば、取付部に係止凹部を、そして、閉じ具に被係止部を設けることで、閉じ具が取付部から外れるのを防ぐことができる。
また、請求項４に記載された保護管装置によれば、閉じ具を、取付部から外れにくくすることができる。
【００３２】
【００３３】
【００３４】
【００３５】
【図面の簡単な説明】
【図１】  この発明に係る保護管装置の一実施の形態の、正面図である。
【図２】  同じく、平面図である。
【図３】  同じく、底面図である。
【図４】  同じく、図２におけるＡ−Ａ線による断面図である。
【図５】  前記保護管装置の保護管に用いられる、閉じ具の拡大斜視図である。
【図６】  切割り部を開いた状態を示す、前記保護管の縦断面図である。
【図７】  切割り部を閉じて、閉じ具を取り付けた状態の前記保護管の縦断面図である。
【図８】  同じく、図７における平面図である。
【図９】  切欠き孔に固定具を掛けたところを示す、前記保護管の斜視図である。
【図１０】  この発明に係る保護管装置の他の実施の形態を示す、図７相当図である。
【図１１】  この発明に係る保護管装置のさらに他の実施の形態を示す、一部を省略した図７相当図である。
【図１２】  この発明に係る保護管装置のさらに他の実施の形態を示す、一部を省略した図７相当図である。
【図１３】  従来の保護管を示す斜視図である。
【符号の説明】
１  保護管                          １ａ  外側凸部
１ｂ  内側凸部                      １ｃ  外側凹部
１ｈ  ヒンジ部                      １ｉ  第１の分割体（分割体）
１ｊ  第２の分割体（分割体）        １ｋ  取付部
１ｑ  係止凹部                      ２  閉じ具
２ｄ  被係止部                      ２ｅ  突刺部
３  ケーブル（配線材または配管材）  Ｑ１  他の係止凹部（係止凹部）
Ｑ２  他の被係止部（被係止部）      Ｓ  保護管装置
【図１】
0004138328.tif 000002
【図２】
0004138328.tif 000003
【図３】
0004138328.tif 000004
【図４】
0004138328.tif 000005
【図５】
0004138328.tif 000006
【図６】
0004138328.tif 000007
【図７】
0004138328.tif 000008
【図８】
0004138328.tif 000009
【図９】
0004138328.tif 000010
【図１０】
0004138328.tif 000011
【図１１】
0004138328.tif 000012
【図１２】
0004138328.tif 000013
【図１３】
0004138328.tif 000014